(57)【要約】【課題】ダンパーの姿勢を判定すること。【解決手段】第１の空気を吹き出す第１の吹出口と、前記第１の吹出口と異なる第２の吹出口と、第２の空気を前記第２の吹出口へ導く第１姿勢、または前記第２の空気を前記第１の吹出口へ導く第２姿勢に切り換え可能なダンパーと、前記第１の吹出口または前記第２の吹出口のいずれかの空気の温度を検出する温度センサと、前記検出した温度に基づいて、前記ダンパーの姿勢を判定する制御部と、を備え、前記第１の空気および前記第２の空気は、一方が蒸発器により除湿された空気であり、他方が凝縮器により暖められた空気である空気調和機。【選択図】図３
2020139635.tif 000002
【特許請求の範囲】
【請求項１】
第１の空気を吹き出す第１の吹出口と、
前記第１の吹出口と異なる第２の吹出口と、
第２の空気を前記第２の吹出口へ導く第１姿勢、または前記第２の空気を前記第１の吹出口へ導く第２姿勢に切り換え可能なダンパーと、
前記第１の吹出口または前記第２の吹出口のいずれかの空気の温度を検出する
温度センサと、
前記検出した温度に基づいて、前記ダンパーの姿勢を判定する制御部と、を備え
前記第１の空気および前記第２の空気は、一方が蒸発器により除湿された空気であり、他方が凝縮器により暖められた空気であることを特徴とする空気調和機。
【請求項２】
前記第１の空気は、前記蒸発器により除湿された空気であり、
前記第２の空気は、前記凝縮器により暖められた空気であり、
前記温度センサは、前記第２の吹出口の空気の温度を検出する請求項１記載の空気調和機。
【請求項３】
前記制御部は、第１の時刻に検出された前記第２の吹出口の空気の第１の温度と、前記第１の時刻より後の第２の時刻に検出された前記第２の吹出口の空気の第２の温度と、に基づいて前記ダンパーの姿勢を判定する請求項２記載の空気調和機。
【請求項４】
前記空気調和機は、第１の運転モードまたは第２の運転モードのいずれかの運転モードに設定され、
前記制御部は、前記設定された運転モードに対応するダンパーの姿勢と前記判定されたダンパーの姿勢とが一致するか否か判定する請求項２または３に記載の空気調和機。
【請求項５】
前記制御部は、前記第１の温度と、前記第２の時刻より後の第３の時刻に検出された前記第２の吹出口の空気の第３の温度と、に基づいて、前記ダンパーの姿勢が前記第２の空気を前記第１の吹出口および前記第２の吹出口へ導く第３の姿勢であるか判定する請求項３または４に記載の空気調和機。
【発明の詳細な説明】
【技術分野】
【０００１】
本発明は、空気調和機に関する。
【背景技術】
【０００２】
ダンパーの姿勢を切り換えることにより局所的な冷房と除湿の切り替えを行う空気調和機が知られている（例えば、特許文献１参照）。また、使用目的に応じて冷風と温風を同時に吹き出せるように、通風路を切り換えることができる除湿器が知られている（例えば、特許文献２参照）。
【先行技術文献】
【特許文献】
【０００３】
【特許文献１】特開２００３−３１４８５５号公報
【特許文献２】特開２００５−２６５２２５号公報
【発明の概要】
【発明が解決しようとする課題】
【０００４】
例えば、特許文献１記載の空気調和機は、２つの吹出口を有し、ユーザがダンパーの姿勢を切り換えて温風が吹き出す吹出口を切り換えることにより、局所的な冷房と除湿の切り替えを行っている。特許文献１記載の空気調和機において、ダンパーの姿勢を判定することは行われていない。
本発明の一態様は、ダンパーの姿勢を判定することを目的とする。
【課題を解決するための手段】
【０００５】
本発明の一態様に係る空気調和機は、第１の空気を吹き出す第１の吹出口と、前記第１の吹出口と異なる第２の吹出口と、第２の空気を前記第２の吹出口へ導く第１姿勢、または前記第２の空気を前記第１の吹出口へ導く第２姿勢に切り換え可能なダンパーと、前記第１の吹出口または前記第２の吹出口のいずれかの空気の温度を検出する温度センサと、前記検出した温度に基づいて、前記ダンパーの姿勢を判定する制御部と、を備え、前記第１の空気および前記第２の空気は、一方が蒸発器により除湿された空気であり、他方が凝縮器により暖められた空気であることを特徴とする。
【図面の簡単な説明】
【０００６】
【図１】実施の形態に係る空気調和機の前面から見た時の斜視図の一例である。
【図２】実施の形態に係る空気調和機の背面から見た時の斜視図の一例である。
【図３】実施の形態に係る空気調和機の概略構成の一例を示す図である。
【図４】実施の形態に係る空気調和機の概略構成の一例を示す図である。
【図５】実施の形態に係る操作表示部の一例を示す図である。
【図６】実施の形態に係る制御系統の概略構成を示すブロック図の一例である。
【図７】実施の形態に係る制御部の詳細な構成図の一例である。
【図８】実施の形態に係る判定方法のフローチャートの一例である。
【発明を実施するための形態】
【０００７】
以下、図面を参照しながら実施の形態について説明する。
図１は、実施の形態に係る空気調和機の前面から見た時の斜視図の一例であり、図２は、実施の形態に係る空気調和機の背面から見た時の斜視図の一例である。
【０００８】
空気調和機１０１の合成樹脂製ハウジング１は、例えば、縦長タイプで前後方向の奥行きが小さくコンパクトな構造とされ、ハウジング１の前面の上部に第１吹出口２、背面の中央部に吸込口３、その上方に第２吹出口４がそれぞれ形成される。右側面の下部には、排水タンク５が出し入れ自在に設けられ、上面には、操作表示部６と持ち運び用の把手７とが設けられ、下面の４隅にはキャスタ８が取り付けられ、容易に移動可能とされる。空気調和機１０１は、例えば、除湿機などである。
【０００９】
図３、４は、実施の形態に係る空気調和機の概略構成の一例を示す図である。詳細には、図３は、除湿された冷風を第１吹出口２、温風を第２吹出口４から吹き出す場合を示し、図４は、除湿された冷風と温風を第１吹出口２から吹き出し、第２吹出口４から温風を吹き出させない場合を示す。また、図３は、ダンパーの姿勢が冷風姿勢であり冷風運転を行っている場合を示し、図４は、ダンパーの姿勢が除湿姿勢であり除湿運転を行っている場合を示す。尚、ダンパーの姿勢（冷風姿勢と除湿姿勢）の詳細については、後述する。
【００１０】
ハウジング１の内部は、複数の室に仕切られており、各室に、蒸発器１０、凝縮器（再熱器）１１、圧縮機１２がそれぞれ設けられ、これらによって冷凍サイクルを構成している。蒸発器１０の下方には、排水タンク５が配される、排水タンク５には、フロートを用いた水位検知装置（不図示）が設けられ、排水タンク５の満水状態を検知している。また、空気調和機１０１には、冷凍サイクルの運転を制御する制御部３０が設けられる。
【００１１】
空気調和機１０１の運転が開始され、制御部３０により圧縮機１２が駆動され始めると、圧縮機１２は冷媒ガスを凝縮器１１に送り、高温高圧の冷媒ガスが凝縮器１１に流れ込み、凝縮器１１は高温に保たれる。また、温風用送風機１７により吸込口３から吸い込まれた空気により凝縮器１１の冷媒ガスは、冷却されて凝縮し、高温高圧の気液混合状態となり、凝縮器１１から出てさらに毛細管を通ることにより低温低圧の冷媒液となって蒸発器１０に入る。蒸発器１０の冷媒液は、冷風用送風機１６により吸込口３から吸い込まれた空気により加熱されて蒸発し、低圧の冷媒ガスとなり、圧縮機１２に吸入される。このとき、同時に冷風用送風機１６により吸込口３から吸い込まれた空気は蒸発器１０で冷却されて結露し、結露水は滴下して、排水タンク５内に落ち、排水タンク５内に貯められる。
【００１２】
また、ハウジング１の内部には、吸込口３から蒸発器１０を通って第１吹出口２に至る冷風通風路１４と、吸込口３から凝縮器１１を通って第２吹出口４に至る温風通風路１５とが形成される。
【００１３】
冷風通風路１４では、蒸発器１０の下流側に冷風用送風機１６が配される。冷風用送風機１６は、例えば、横置きされたシロッコファンからなり、空気をケーシングの下方から吸い込み、ケーシングの前方から第１吹出口２に向かって風を吹き出す。また、冷風通風路１４中に、例えば、正イオンおよび負イオンを発生するイオン発生装置（不図示）が設けられ、冷風とともに正負イオンが室内に放出される。尚、イオン発生装置は、負イオンのみを発生してもよい。
【００１４】
温風通風路１５では、凝縮器１１の下流側に温風用送風機１７が配される。温風用送風機１７は、例えば、縦置きされたシロッコファンからなり、空気をケーシングの側方から吸い込み、ケーシングの上方に向かって風を吹き出す。
【００１５】
温風通風路１５は、温風用送風機１７の下流側において、第１吹出口２に向かうように分岐され、温風通風路１５と冷風通風路１４とを連通する混合通風路２４が形成される。この分岐位置に、温風を第１吹出口２または第２吹出口４に向かうように通風方向を切り換えるためのダンパー２５が設けられる。
【００１６】
ダンパー２５は、回動することにより、図３に示すような混合通風路２４を閉塞する第１姿勢（冷風姿勢）と、図４に示すような温風通風路１５を閉塞する第２姿勢（除湿姿勢）とに切り替えられる。冷風姿勢では、凝縮器１１により暖められた空気は第２吹出口４へ導かれる。除湿姿勢では、凝縮器１１により暖められた空気は第２吹出口４の代わりに第１吹出口２へ導かれる。すなわち、除湿姿勢では、凝縮器１１からの温風は混合通風路２４に流れ、冷風と温風が混合されて第１吹出口２から放出される。
【００１７】
空気調和機１０１の運転が開始されると、冷風用送風機１６により、室内の空気が吸込口３からフィルタを通して吸い込まれる。冷風通風路１４を流れる空気は、蒸発器１０で冷却され、空気中の水分が結露して、除湿される。結露した水分は、排水タンク５に集められる。除湿された乾燥空気は冷風となって、第１吹出口２から吹き出される。また、温風用送風機１７により吸込口３からフィルタを通して吸い込まれた空気は、凝縮器４で加熱される。ダンパーの姿勢が図３に示すような冷風姿勢の場合、凝縮器４で加熱された空気は、温風通風路１５を通り、第２吹出口４から温風となって吹き出される。また、ダンパーの姿勢が図４に示すような除湿姿勢の場合、凝縮器４で加熱された空気は、混合通風路２４を通って冷風と混合され、第２吹出口４から吹き出される。
【００１８】
ダンパー２５は、ハウジング１の上部に設けられた操作表示部６のつまみ２３と連結している。つまみ２３の位置に応じて、ダンパー２５は回動し、ダンパー２５の姿勢は冷風姿勢または除湿姿勢に切り替わる。
【００１９】
また、ダンパー２５は、回動して冷風姿勢と除湿姿勢とが切り替わる途中で混合通風路２４と温風通風路１５とを連通する第３姿勢（中間姿勢）となる。中間姿勢では、凝縮器１１により暖められた空気は、第１吹出口２と第２吹出口４の両方へ導かれる。中間姿勢では、凝縮器１１により暖められた空気は、第１吹出口２と第２吹出口４に分岐して吹き出される。そのため、中間姿勢において第１吹出口２から吹き出す温風の風量は、除湿姿勢において第１吹出口２から吹き出す温風の風量より少なく、中間姿勢において第２吹出口４から吹き出す温風の風量は、冷風姿勢において第２吹出口４から吹き出す温風の風量より少なくなる。
【００２０】
第１吹出口２にはルーバが設けられている。ルーバは、上下に一定角度まで回動駆動される。ルーバがスイングすることによって、冷風は幅広く遠くまで到達する。
【００２１】
第２吹出口４には温湿度センサ２６が設けられている。温湿度センサ２６は、第２吹出口４の周囲の空気の温度を検出する温度センサと第２吹出口４の周囲の空気の湿度を検出する湿度センサを有する。例えば、温湿度センサ２６は、図３に示すように、温風が第２吹出口４から吹き出す場合には、温風の温度と湿度を検出する。また、例えば、温湿度センサ２６は、図４に示すように、温風が第２吹出口４から吹き出ない場合には、第２吹出口４の周囲の空気の温度と湿度を検出する。したがって、温湿度センサ２６は、図３の場合では温風の温度を検出するので、図４の場合に比べて高い温度を検出する。
【００２２】
また、温湿度センサ２６は、ダンパー２５と第２吹出口４との間の温風通風路１５に設けられていてもよい。その場合、温湿度センサ２６は、ダンパー２５と第２吹出口４との間の温風通風路１５の空気の温度と湿度を検出する。温湿度センサ２６がダンパー２５と第２吹出口４との間の温風通風路１５に設けられている場合でも、温湿度センサ２６は、図３の場合では温風の温度を検出するので、図４の場合に比べて高い温度を検出する。尚、温湿度センサ２６は、温度センサのみを有していてもよい。
図５は、実施の形態に係る操作表示部の一例を示す図である。
操作表示部６には、操作ボタン５０と、表示ランプ５５と、ダンパーの姿勢を切り替えるためのつまみ２３と、が設けられている。
操作ボタン５０は、運転スイッチ５１、および運転モード切替スイッチ５２を有する。
【００２３】
運転スイッチ５１は、空気調和機１０１の運転（電源）をオン／オフするスイッチであり、運転スイッチ５１が押下されると、空気調和機１０１の運転が開始または停止する。
【００２４】
運転モード切替スイッチ５２は、運転モードを設定するスイッチであり、運転モード切替スイッチ５２は、押下される度に、運転モードが冷風モードと除湿モードに交互に切り替わる。冷風モードと除湿モードについては、後述する。尚、冷風モードと除湿モードのどちらでも冷凍サイクルは動作しており、蒸発器１０を通過した空気は除湿され、凝縮器１１を通過した空気は暖められる。
【００２５】
表示ランプ５５は、電源ランプ５６、除湿モードランプ５７、および冷風モードランプ５８を有する。電源ランプ５６、除湿モードランプ５７、および冷風モードランプ５８は、例えば、ＬＥＤ（Ｌｉｇｈｔ  Ｅｍｉｔｔｉｎｇ  Ｄｉｏｄｅ）である。
【００２６】
電源ランプ５６は、運転スイッチ５１の操作に従った空気調和機１０１の電源（運転）のオン／オフを表示する。除湿モードランプ５７と冷風モードランプ５８は、運転モード切替スイッチ５２の操作に従って設定された運転モードを表示する。除湿モードランプ５７が点灯している場合は、運転モードとして除湿モードが設定されていることを示し、冷風モードランプ５８が点灯している場合は、運転モードとして冷風モードが設定されていることを示す。
【００２７】
つまみ２３は、ダンパー２５と連結しており、直線的にスライドするように操作表示部６に設けられている。つまみ２３の位置に応じて、ダンパー２５は回動し、ダンパー２５の姿勢が切り替わる。つまみ２３の位置が冷風位置になるとダンパー２５の姿勢は冷風姿勢となり、つまみ２３の位置が除湿位置になるとダンパー２５の姿勢は除湿姿勢となる。つまみ２３の位置が冷風位置と除湿位置の間にあると、ダンパー２５の姿勢は中間姿勢となり、凝縮器１１により暖められた空気は、第１吹出口２と第２吹出口４の両方から吹き出す。
【００２８】
以上、空気調和機１０１の構成について説明した。この空気調和機１０１について、続いて図６を参照し、実施形態の空気調和機１０１の制御部３０について説明する。図６は、実施の形態に係る制御系統の概略構成を示すブロック図の一例である。
【００２９】
空気調和機１０１の全体の動作は制御部３０によって制御される。制御部３０には、圧縮機１２を駆動させる圧縮機駆動回路６１、空気の流れを作る冷風用送風機１６と温風用送風機１７それぞれのモータの回転動作を制御するモータ駆動回路６３、およびイオンを放出するイオン発生装置（不図示）に高電圧を印加するための高圧ユニット駆動回路６３が接続されている。また、制御部３０には、操作表示部６に設けられている空気調和機１０１の運転（電源）のオン／オフや運転モードを選択操作するための操作ボタン５０、該操作ボタン５０の操作状態や運転モード等の状態等を表示する表示ランプ５５がそれぞれ接続されている。
【００３０】
圧縮機駆動回路６１、高圧ユニット駆動回路６２、モータ駆動回路６３には、操作表示部６の操作ボタン２２からの入力操作や温度センサ４１、湿度センサ２８からの検出値に基づいて制御する制御部３０から制御信号が送られる。これにより、圧縮機駆動回路６１、高圧ユニット駆動回路６２、およびモータ駆動回路６３を介して圧縮機１２、送風機（冷風用送風機１６と温風用送風機１７）、およびイオン発生装置（不図示）がそれぞれ駆動される。
【００３１】
また、制御部３０には、温度センサ２７および湿度センサ２８を有する温湿度センサ２６が接続され、温度センサ２７および湿度センサ２８による検出値は、制御部３０に送られる。温度センサ２７は第２吹出口４の周囲の空気の温度を検出し、湿度センサ２８は第２吹出口４の周囲の空気の湿度を検出する。詳細には、例えば、温度センサ２７は、図３に示すように、温風が第２吹出口４から吹き出す場合には、第２吹出口４の周囲の空気の温度として温風の温度を検出する。また、例えば、温度センサ２７は、図４に示すように、温風が第２吹出口４から吹き出ない場合には、第２吹出口４の周囲の空気の温度（空気調和機１０１の周囲の空気の温度）を検出する。湿度センサ２８は、例えば、図３に示すように、温風が第２吹出口４から吹き出す場合には、第２吹出口４の周囲の空気の湿度として温風の湿度を検出する。湿度センサ２８は、例えば、図４に示すように、温風が第２吹出口４から吹き出ない場合には、第２吹出口４の周囲の空気の湿度（空気調和機１０１の周囲の湿度）を検出する。
【００３２】
制御部３０は、例えば、ＣＰＵ（Ｃｅｎｔｒａｌ  Ｐｒｏｃｅｓｓｉｎｇ  Ｕｎｉｔ）等のプロセッサであり、プロセッサは記憶部６０に記憶されたプログラムを実行することにより制御部３０として動作する。また、制御部３０は、集積回路（ＩＣチップ）等に形成された論理回路（ハードウェア）によって実現してもよい。
【００３３】
記憶部６０は、空気調和機１０１で利用されるデータやプログラム等を記憶する。記憶部６０は、温度センサ２７から取得した温度や設定されている運転モード（除湿モードまたは冷風モード）を示す運転モード情報等を記憶する。記憶部６０は、例えば、フラッシュメモリやＲＡＭ（Ｒａｎｄｏｍ  Ａｃｃｅｓｓ  Ｍｅｍｏｒｙ）等である。
図７は、実施の形態に係る制御部の詳細な構成図の一例である。
【００３４】
制御部３０は、空気調和機１０１全体を制御する。制御部３０は、運転制御部７１、取得部７２、姿勢判定部７３、適正判定部７４、および表示制御部７５を有する。
【００３５】
運転制御部７１は、操作ボタン５０の入力操作に基づいて、空気調和機の運転（電源）をオン／オフや運転モードの設定を行う。また、運転制御部７１は、圧縮機駆動回路６１、高圧ユニット駆動回路６２、およびモータ駆動回路６３に制御信号を送信して、圧縮機１２、送風機（冷風用送風機１６と温風用送風機１７）、およびイオン発生装置を制御する。
【００３６】
圧縮機駆動回路６１、高圧ユニット駆動回路６２、モータ駆動回路６３には、操作表示部６の操作ボタン２２からの入力操作や温度センサ４１、湿度センサ２８からの検出値に基づいて制御する制御部３０から指令が送られる。運転制御部７１は、設定された運転モードを示す運転モード情報を記憶部６０に記憶する。
取得部７２は、温度センサ２７から検出された温度および湿度センサ２８から検出された湿度を取得する。
姿勢判定部７３は、取得部７２が取得した温度に基づいて、ダンパー２５の姿勢を判定する。
【００３７】
適正判定部７４は、設定された運転モードと姿勢判定部７３で判定されたダンパーの姿勢に基づいて、ダンパー２５の姿勢が適正であるか判定する。実施の形態において、ダンパー２５の姿勢が適正であるとは、ダンパー２５の姿勢が設定されている運転モードに対応するダンパー２５の姿勢と一致することである。例えば、運転モードが冷風モードに設定されている場合、ダンパー２５の姿勢が冷風姿勢であれば適正と判定される。また、例えば、運転モードが除湿モードに設定されている場合、ダンパー２５の姿勢が除湿姿勢であれば適正と判定される。
【００３８】
表示制御部７５は、適正判定部７４の判定結果に基づいて、ユーザにダンパー２５の姿勢が適正でない旨を報知する。さらに、表示制御部７５は、ダンパー２５の姿勢を変更するようにユーザに報知してもよい。表示制御部７５は、例えば、表示ランプ３３のオン、オフを制御することにより、ダンパー２５の姿勢が適正でない旨やダンパー２５の姿勢の変更を促す旨を報知する。また、表示制御部７５は、空気調和機１０１の電源のオン／オフに応じて、電源ランプ５６を点灯／消灯させる。また、表示制御部７５は、設定された運転モードに応じて、設定された運転モードを示す除湿モードランプ５７または冷風モードランプ５８のいずれかを点灯させる。具体的には、例えば、表示制御部７５は、運転モードが除湿モードに設定されている場合、除湿モードランプ５７を点灯させ、運転モードが冷風モードに設定されている場合、冷風モードランプ５８を点灯させる。
【００３９】
尚、上記の空気調和機の構成は一例であって、これに限定されるものではない。例えば、温風通風路１５の代わりに冷風通風路１４を分岐させ、温風通風路１５と冷風通風路１４とを連通する混合通風路２４を形成し、この分岐位置に、除湿された冷風を第１吹出口２または第２吹出口４に向かうように通風方向を切り換えるためのダンパー２５を設けてもよい。すなわち、凝縮器１１により暖められた空気の吹き出し先を常に第２吹出口にして、ダンパー２５の姿勢に応じて、蒸発器１０により除湿された空気の吹き出し先を第１吹出口２と第２吹出口４のいずれかに切り替えてもよい。また、温度センサ２７は、第１吹出口２に取り付けられてもよく、温度センサ２７は、第１吹出口２の空気の温度、例えば第１吹出口２から吹き出される空気の温度を検出し、姿勢判定部７３は、第１吹出口２の空気の温度に基づいて、ダンパー２５の姿勢を判定してもよい。また、温度センサ２７は、ダンパー２５と第１吹出口２との間の混合通風路２４に設けられていてもよい。また、温度センサ２７は、第１吹出口２と第２吹出口４の両方に設けられていてもよい。温度センサ２７は、第１吹出口２または第２吹出口４へ向かう空気（内部）、若しくは第１吹出口２または第２吹出口４から吹き出す空気（外部）を直接検知できれば、空気調和機１０１の内部または外部のどちらに設けられていてもよい。
【００４０】
上述したように、実施の形態の空気調和機１０１の運転として、図３に示すような冷風運転と、図４に示すような除湿運転がある。
冷風運転を行う場合、ユーザは、運転モード切替スイッチ５２を操作して運転モードを冷風モードに設定し、つまみ２３の位置を冷風位置に移動してダンパー２５の姿勢を冷風姿勢にする。それにより、図３に示すように、除湿された冷風は第１吹出口２から吹き出し、温風は第２吹出口４から吹き出す。
【００４１】
除湿運転を行う場合、ユーザは、運転モード切替スイッチ５２を操作して運転モードを除湿モードに設定し、つまみ２３の位置を除湿位置に移動してダンパー２５の姿勢を除湿姿勢にする。それにより、図４に示すように、除湿された冷風と温風は第１吹出口２から吹き出す。
このように、空気調和機１０１の運転をユーザの意図した運転状態にする場合、ユーザは、運転モードの設定とダンパー２５の姿勢の設定の両方を行う。
【００４２】
実施の形態において、ユーザによる運転モード切替スイッチ５２の入力操作により運転モードが切り替わると、除湿モードランプ５７と冷風モードランプ５８の点灯状態が変更されるが、冷凍サイクルの動作やダンパー２５の姿勢は変更されない。すなわち、実施の形態において、ダンパー２５の姿勢はつまみ２３によりユーザが手動で変更するため、運転モード切替スイッチ５２により設定された運転モード応じてダンパー２５の姿勢は自動的に変更されない。そのため、例えば、ユーザが冷風運転を行いたい場合、ユーザが運転モードを冷風モードに設定しても、ダンパー２５の姿勢が除湿姿勢になっていると、除湿された冷風と温風は第１吹出口２から吹き出すため、ユーザの意図した運転とならない。また、例えば、ユーザが除湿運転を行いたい場合、ユーザが運転モードを除湿モードに設定しても、ダンパー２５の姿勢が冷風姿勢になっていると、除湿された冷風は第１吹出口２、温風は第２吹出口４からそれぞれ吹き出すため、ユーザの意図した運転とならない。また、ダンパー２５の姿勢は、つまみ２３を冷風位置と除湿位置の間で止めてしまうなどのユーザの操作ミスにより、冷風姿勢と除湿姿勢の間の中間姿勢となっている場合もありうる。中間姿勢は冷風運転と除湿運転のどちらでも用いられないため、ダンパーの姿勢が中間姿勢の場合は、ユーザが冷風運転と除湿運転のどちらを行いたい場合でもユーザの意図した運転とはならない。そこで、実施の形態の空気調和機１０１は、以下で述べるように、ダンパー２５の姿勢を判定し、ダンパー２５の姿勢が適正であるか判定する。
【００４３】
図８は、実施の形態に係る判定方法のフローチャートの一例である。
最初、空気調和機１０１の電源はオフになっているとする。また、ここでは一例として運転モードが除湿モードまたは冷風モードにいずれかに設定され、設定された運転モードを示す運転モード情報を記憶部６０に記憶されている場合を説明する。
【００４４】
ステップＳ８０１において、ユーザにより運転スイッチ５１が押され、運転制御部７１は空気調和機１０１の運転を開始する。取得部７２は、圧縮機１２が動作する前に温度センサ２７が検出した温度（以下、第１の温度と表記）を温度センサ２７から取得する。尚、第１の温度の取得時には、圧縮機１２は動作していないため、第２吹出口４の周囲の温度は空気調和機１０１の周囲の温度と同じであるので、第１の温度は空気調和機１０１の周囲の温度を示す。また、空気調和機１０１の運転の開始から所定の時間後（例えば、３分後）に、運転制御部７１は、圧縮機駆動回路６１に制御信号を出力して、圧縮機１２の駆動を開始する。また、表示制御部７５は、設定された運転モードに応じて、設定された運転モードを示す除湿モードランプ５７または冷風モードランプ５８のいずれかを点灯させる。実施の形態のように、第１の温度と後述の第２および第３の温度を、同じ温度センサ２７で検出することで、コストを削減できる。また、取得部７２は、空気調和機１０１の外部の温度センサまたは外部の装置から空気調和機１０１の周囲の温度を第１の温度として取得してもよい。また、空気調和機１０１が温度センサ２７と異なる空気調和機１０１の周囲の温度を検出する他の温度センサを有し、他の温度センサが検出した温度を第１の温度として取得してもよい。また、取得部７２が、空気調和機１０１の外部や他の温度センサから空気調和機１０１の周囲の温度を第１の温度として取得する場合には、圧縮機１２が動作する前に限らず、後述のステップＳ８０２やステップＳ８０３のタイミングで取得してもよい。
【００４５】
ステップＳ８０２において、空気調和機１０１の運転を開始から所定時間後（例えば、５分後）、取得部７２は、温度センサ２７が検出した温度（以下、第２の温度と表記）を温度センサ２７から取得する。尚、第２の温度の取得時には、圧縮機１２は動作しているすなわち、冷凍サイクルは動作しており、蒸発器１０を通過した空気は除湿され、凝縮器１１を通過した空気は暖められる。
【００４６】
ステップＳ８０３において、姿勢判定部７３は、第２の温度が第１の温度から閾値以上アップしたか判定する。例えば、姿勢判定部７３は、第２の温度と第１の温度の差分を算出し、当該差分が閾値以上であるか判定することで、第２の温度が第１の温度から閾値以上アップしたか判定する。第２の温度が第１の温度から閾値以上アップしたと判定された場合、制御はステップＳ８０４に進み、第２の温度が第１の温度から閾値以上アップしていないと判定された場合、制御はステップＳ８０７に進む。尚、実施の形態の変形例として、第２の温度が第１の温度から閾値以上アップしていないと判定された場合、制御はステップＳ８０９に進むようにしてもよい。
【００４７】
ステップＳ８０４において、姿勢判定部７３は、ダンパー２５の姿勢が冷風姿勢であると判定する。このように、第２の温度が第１の温度から閾値以上アップしている場合（ステップＳ８０３：Ｙｅｓ）、図３に示すように温風が第２吹出口４から吹き出しており、ダンパー２５の姿勢が冷風姿勢であると考えられるため、ダンパー２５の姿勢は冷風姿勢であると判定される。
【００４８】
ステップＳ８０５において、適正判定部７４は、設定されている運転モードに基づいて、ダンパー２５の姿勢が適正であるか否か判定する。上述のように、ダンパー２５の姿勢が適正であるとは、ダンパー２５の姿勢が設定されている運転モードに対応するダンパー２５の姿勢と一致することである。具体的には、例えば、適正判定部７４は、設定されている運転モードを示す運転モード情報を記憶部６０から取得し、設定されている運転モードに対応するダンパー姿勢とステップＳ８０４で判定したダンパー姿勢とが一致するか判定する。一致したと判定された場合、ダンパー２５の姿勢が適正であると判定して判定方法は終了し、一致しないと判定された場合、ダンパー２５の姿勢が適正でないと判定して制御はステップＳ８０６に進む。尚、冷風モードに対応するダンパー姿勢は冷風姿勢であり、除湿モードに対応するダンパー姿勢は除湿姿勢である。例えば、設定されている運転モードが冷風モードである場合、冷風モードに対応するダンパー姿勢は冷風姿勢であり、ステップＳ８０４で判定されたダンパー２５の姿勢（冷風姿勢）と一致するので、ダンパー２５の姿勢が適正であると判定して判定方法は終了する。また、設定されている運転モードが除湿モードである場合、除湿モードに対応するダンパー姿勢は除湿姿勢であり、ステップＳ８０４で判定されたダンパー２５の姿勢（冷風姿勢）と一致しないので、ダンパー２５の姿勢が適正でないと判定して制御はステップＳ８０６に進む。
【００４９】
ステップＳ８０６において、表示制御部７５は、ユーザにダンパー２５の姿勢が適正でない旨を報知する。さらに、表示制御部７５は、ダンパー２５の姿勢を除湿姿勢に変更するようにユーザに報知してもよい。具体的には、例えば、表示制御部７５は、除湿モードランプ５７と冷風モードランプ５８を点滅させたり、通常とは異なる色で除湿モードランプ５７と冷風モードランプ５８を点灯させる等する。また、空気調和機１０１はスピーカーを有し、表示制御部７５は、スピーカーからダンパー２５の姿勢が適正でない旨やダンパーの姿勢を除湿姿勢に変更するよう促す音声や所定の警報音などを出力してもよい。
【００５０】
ステップＳ８０７において、第２の温度の取得から所定時間後（例えば、第２の温度の取得から５分後、すなわち空気調和機１０１の運転を開始から１０分後）、取得部７２は、温度センサ２７が検出した温度（以下、第３の温度と表記）を温度センサ２７から取得する。
【００５１】
ステップＳ８０８において、姿勢判定部７３は、第３の温度が第１の温度から閾値以上アップしたか判定する。例えば、姿勢判定部７３は、第３の温度と第１の温度の差分を算出し、当該差分が閾値以上であるか判定することで、第３の温度が第１の温度から閾値以上アップしたか判定する。第３の温度が第１の温度から閾値以上アップしたと判定された場合、制御はステップＳ８１２に進み、第３の温度が第１の温度から閾値以上アップしていないと判定された場合、制御はステップＳ８０９に進む。尚、ステップＳ８０３の閾値とステップＳ８０８の閾値は、同じであっても異なっていてもよい。
【００５２】
ステップＳ８０９において、姿勢判定部７３は、ダンパー２５の姿勢が除湿姿勢であると判定する。このように、第３の温度が第１の温度から閾値以上アップしていない場合（ステップＳ８０８：Ｎｏ）、図４に示すように温風が第２吹出口４から吹き出しておらず、第２吹出口４の周囲の温度は上昇せず、ダンパー２５の姿勢が除湿姿勢であると考えられるため、ダンパー２５の姿勢は除湿姿勢であると判定される。尚、ステップＳ８０７，８０８の処理を省略し、第２の温度が第１の温度から閾値以上アップしていない場合（ステップＳ８０３：Ｎｏ）に、姿勢判定部７３は、ダンパー２５の姿勢は除湿姿勢であると判定してもよい。
【００５３】
ステップＳ８１０において、適正判定部７４は、設定されている運転モードに基づいて、ダンパー２５の姿勢が適正であるか否か判定する。具体的には、例えば、適正判定部７４は、設定されている運転モードを示す運転モード情報を記憶部６０から取得し、設定されている運転モードに対応するダンパー姿勢とステップＳ８０９で判定したダンパー姿勢とが一致するか判定する。一致したと判定された場合、ダンパー２５の姿勢が適正であると判定して判定方法は終了し、一致しないと判定された場合、ダンパー２５の姿勢が適正ないと判定して制御はステップＳ８１１に進む。尚、冷風モードに対応するダンパー姿勢は冷風姿勢であり、除湿モードに対応するダンパー姿勢は除湿姿勢である。例えば、設定されている運転モードが除湿モードである場合、除湿モードに対応するダンパー姿勢は除湿姿勢であり、ステップＳ８０９で判定されたダンパー２５の姿勢（除湿姿勢）と一致するので、ダンパー２５の姿勢が適正であると判定して判定方法は終了する。また、設定されている運転モードが冷風モードである場合、冷風モードに対応するダンパー姿勢は冷風姿勢であり、ステップＳ８０９で判定されたダンパー２５の姿勢（除湿姿勢）と一致しないので、ダンパー２５の姿勢が適正でないと判定して制御はステップＳ８１１に進む。
【００５４】
ステップＳ８１１において、表示制御部７５は、ユーザにダンパー２５の姿勢が適正でない旨を報知する。さらに、表示制御部７５は、ダンパー２５の姿勢を冷風姿勢に変更するようにユーザに報知してもよい。具体的には、例えば、表示制御部７５は、除湿モードランプ５７と冷風モードランプ５８を点滅させたり、通常とは異なる色で除湿モードランプ５７と冷風モードランプ５８を点灯させる等する。また、空気調和機１０１はスピーカーを有し、表示制御部７５は、スピーカーからダンパー２５の姿勢が適正でない旨やダンパーの姿勢を冷風姿勢に変更するよう促す音声や所定の警報音などを出力してもよい。
【００５５】
ステップＳ８１２において、姿勢判定部７３は、ダンパー２５の姿勢が中間姿勢であると判定する。このように、第２の温度が第１の温度から閾値以上アップしておらず（ステップＳ８０３：Ｎｏ）、第３の温度が第１の温度から閾値以上アップしている場合（ステップＳ８０８：Ｙｅｓ）、第２吹出口４の周囲の温度はゆっくり上昇している。この場合、図３に示すような冷風姿勢の場合よりも少ない量の温風が第２吹出口４から吹き出し、ダンパー２５の姿勢は中間姿勢であると考えられるため、ダンパー２５の姿勢が中間姿勢であると判定される。実施の形態の空気調和機１０１は、ダンパー２５の姿勢として、冷風姿勢と除湿姿勢の間の中間姿勢を検出できる。また、中間姿勢は冷風運転と除湿運転のどちらでも用いられないので、姿勢判定部７３は、ダンパー２５の姿勢が適正でないと判定する。
【００５６】
ステップＳ８１３において、表示制御部７５は、ユーザにダンパー２５の姿勢が適正でない旨を報知する。さらに、表示制御部７５は、ダンパー２５の姿勢が中間姿勢である旨をユーザに報知してもよい。具体的には、例えば、表示制御部７５は、除湿モードランプ５７と冷風モードランプ５８を点滅させたり、通常とは異なる色で除湿モードランプ５７と冷風モードランプ５８を点灯させる等する。また、空気調和機１０１はスピーカーを有し、表示制御部７５は、スピーカーからダンパー２５の姿勢が適正でない旨やダンパーの姿勢を設定された運転モードに対応する姿勢に変更するように促す音声や所定の警報音などを出力してもよい。
【００５７】
実施の形態の空気調和機１０１によれば、ダンパー２５の姿勢を検出することができる。また、実施の形態の空気調和機１０１によれば、設定された運転モードに対してダンパー２５の姿勢が適正であるか判定できる。また、実施の形態の空気調和機１０１によれば、周囲の温度の検出にも用いられる温度センサ２７が検出した温度をダンパー２５の姿勢の検出に用いることで、ダンパー２５の姿勢を検出するための検出部品（例えば、フォトインタラプタ、ホールＩＣ、またはマイクロスイッチ等）を追加することなく、ダンパー２５の姿勢を検出できる。それにより、コストの増加を防止できる。
＜他の実施の形態＞
【００５８】
他の実施の形態の空気調和機１０１は、運転モードとして上述の実施の形態の除湿モードの代わりに除湿（自動）モードを有する。すなわち、他の実施の形態の空気調和機１０１は、運転モードとして上述の実施の形態の冷風モードと除湿（自動）モードを有する。除湿（自動）モードでは、運転制御部７１は、空気調和機１０１の周囲の温度と湿度に基づいて、圧縮機１２をオン／オフする。圧縮機１２がオフの状態のとき、冷凍サイクルの運転は行われず、冷風用送風機１６と温風用送風機１７だけが駆動される。それにより、第１吹出口２からは除湿および暖められていない空気が吹き出される。他の実施の形態の表示制御部７５は、運転モードが除湿（自動）モードに設定されて場合、運除湿モードランプ５７を点灯させ、運転モードが冷風モードに設定されている場合、冷風モードランプ５８を点灯させる。
【００５９】
他の実施の形態の空気調和機１０１の運転として、除湿（自動）運転があり、除湿（自動）運転を行う場合、ユーザは、運転モード切替スイッチ５２を操作して運転モードを除湿（自動）モードに設定し、つまみ２３の位置を除湿位置に移動してダンパー２５の姿勢を除湿姿勢にする。それにより、圧縮機１２がオンの状態では、図４に示すように、除湿された冷風と温風は第１吹出口２から吹き出す。
【００６０】
他の実施の形態の空気調和機１０１は、ダンパー２５の姿勢が適正であるか判定する。他の実施の形態において、ダンパー２５の姿勢が適正であるとは、上述の実施の形態と同様に、ダンパー２５の姿勢が設定されている運転モードに対応するダンパー２５の姿勢と一致することである。他の実施の形態の空気調和機１０１は、上述の実施の形態に係る判定方法（図８）と同様の方法で、ダンパー２５の姿勢やダンパー２５の姿勢が適正であるか判定する。尚、除湿（自動）モードに対応するダンパーの姿勢は、除湿姿勢である。例えば、運転モードが冷風モードに設定されている場合、ダンパー２５の姿勢が冷風姿勢であれば適正と判定される。また、例えば、運転モードが除湿（自動）モードに設定されている場合、ダンパー２５の姿勢が除湿姿勢であれば適正と判定される。
【００６１】
尚、他の実施の形態の空気調和機１０１は、上述の実施の形態の除湿モードと冷風モードに追加してさらに除湿（自動）モードを有していてもよい。また、冷風モードは、冷風用送風機１６の送風量が多い冷風（強）モードと冷風用送風機１６の送風量が少ない冷風（弱）モードの２つに分かれていてもよい。
【００６２】
他の実施の形態の空気調和機１０１によれば、ダンパー２５の姿勢を検出することができる。また、他の実施の形態の空気調和機１０１によれば、設定された運転モードに対してダンパー２５の姿勢が適正であるか判定できる。また、他の実施の形態の空気調和機１０１によれば、周囲の温度の検出にも用いられる温度センサ２７が検出した温度をダンパー２５の姿勢の検出に用いることで、ダンパー２５の姿勢を検出するための検出部品（例えば、フォトインタラプタ、ホールＩＣ、またはマイクロスイッチ等）を追加することなく、ダンパー２５の姿勢を検出できる。それにより、コストの増加を防止できる。
【００６３】
本発明は、上記実施の形態に限定されるものではなく、上記実施の形態で示した構成と実質的に同一の構成、同一の作用効果を奏する構成又は同一の目的を達成することができる構成で置き換えてもよい。
【符号の説明】
【００６４】
１    ハウジング
２    第１吹出口
４    第２吹出口
６    操作表示部
１０    蒸発器
１１    凝縮器
１４    冷風通風路
１５    温風通風路
２２    操作ボタン
２３    つまみ
２４    混合通風路
２５    ダンパー
２６    温湿度センサ
２７    温度センサ
２８    湿度センサ
３０    制御部
５０    操作ボタン
５１    運転スイッチ
５２    運転モード切替スイッチ
５５    表示ランプ
５６    電源ランプ
５７    除湿モードランプ
５８    冷風モードランプ
６０    記憶部
１０１    空気調和機
【図１】
2020139635.tif 000003
【図２】
2020139635.tif 000004
【図３】
2020139635.tif 000005
【図４】
2020139635.tif 000006
【図５】
2020139635.tif 000007
【図６】
2020139635.tif 000008
【図７】
2020139635.tif 000009
【図８】
2020139635.tif 000010